(57)【要約】【課題】フレキシブルホースの本体となる波形管の管壁が螺旋状の襞で形成されていても、波形管の管壁とその管端から挿入された継手金具の心金部との間を気密にシールすることができると同時に、波形管の管端から挿入された継手金具の心金部が抜けないようにする。【解決手段】ホース本体となる波形管１は、その管壁が螺旋状の襞４で形成され、その波形管１の管端に装着する継手金具２は、波形管１の管端から挿入する心金部３の外周に波形管１の管壁を成す螺旋状の襞４と螺合する雄ねじ７が形成されて、その心金部３が波形管１の管端からねじ込んで挿入されている。【選択図】図１
0003111817.tif 000002
【実用新案登録請求の範囲】
【請求項１】
ホース本体となる波形管が可撓性を有する合成樹脂で成形され、該波形官の管端にその管端から心金部を挿入した継手金具が装着されているフレキシブルホースにおいて、前記波形管の管壁が螺旋状の襞で形成されると共に、前記継手金具の心金部の外周に前記螺旋状の襞と螺合する雄ねじが形成されて、その心金部が前記波形管の管端からねじ込んで挿入されていることを特徴とするフレキシブルホース。
【請求項２】
前記継手金具の心金部の外周に形成された雄ねじが、ねじ山の断面が円弧状を成す丸ねじである請求項１記載のフレキシブルホース。
【請求項３】
前記波形管の外周がステンレス線で筒状に編組みしたステンレスメッシュのブレードで被覆されている請求項１又は２記載のフレキシブルホース。
【請求項４】
ホース本体となる波形管の管壁が螺旋状の襞で形成されたフレキシブルホースの継手金具であって、前記波形管の管端から挿入する心金部の外周に、前記螺旋状の襞と螺合する雄ねじが形成されると共に、該雄ねじが、ねじ山の断面が円弧状を成す丸ねじに形成されていることを特徴とする継手金具。
【考案の詳細な説明】
【技術分野】
【０００１】
本考案は、各種配管もしくは管継手として用いられるフレキシブルホースとその継手金具に係り、特に、ホース本体となる波形管が可撓性を有する合成樹脂で成形されたフレキシブルホースとその継手金具に関する。
【背景技術】
【０００２】
この種のフレキシブルホースは、例えば図２に示すように、ホース本体となる波形管１１が可撓性を有するフッ素樹脂やシリコン樹脂等の合成樹脂で成形され、該波形官１１の管端にその管端から心金部１３を挿入した継手金具１２が装着されている。波形管１１の管壁は、図２（ｂ）に示す断面の如く、管内側から見て環状の凹部１４ａと環状の凸部１４ｂとが一定のピッチで交互に生ずる襞１４で形成されると共に、その外周面に密着するように補強用クロス１５が被着され、更に、その外周がステンレス線で筒状に編組みしたステンレスメッシュのブレード１６で被覆されている（特許文献１参照）。
【特許文献１】特開平１０−２６２６６号公報
【０００３】
継手金具１２の心金部１３は、波形管１１の管端に挿入する先端部側から後端部側にかけて外径が漸次大きくなるテーパ状に形成されると共に、波形管１１の管内で襞１４の凸部１４ｂに係止されて抜け止め用の返しとなる複数の環状リブ１７が、外周面に沿って一定のピッチで形成されている。
【０００４】
そして、継手金具１２は、その心金部１３の先端部側を図２（ａ）の如く波形管１１の管端に向けて、その管端から図２（ｂ）の如く管内に押し込んで装着させることにより、波形管１１の管壁を形成する襞１４の凸部１４ｂと、継手金具１２の心金部１３の外周面とが互いに密着するように圧接して、その心金部１３の外周面と波形管１１の管壁との間が気密にシールされると同時に、心金部１３の外周面に形成された環状リブ１７が波形管１１の襞１４の凸部１４ｂに係止されて、継手金具１２の心金部１３が波形管１１の管端から抜け出すことが防止されるようになっている。
【０００５】
以上が、図２に示す従来のフレキシブルホースとその継手金具の構成であるが、最近のフレキシブルホースには、その本体となる波形管の管壁が螺旋状の襞で形成されたものもある。そして、管壁が螺旋状の襞で形成された波形管にも、その管端に装着する継手金具として、図２の如く心金部２２の外周面に沿って抜け止め用の返しとなる複数の環状リブ２６を形成した従来の継手金具２１が使用されている。
【０００６】
しかしながら、波形管の管壁が螺旋状の襞で形成されていると、その壁の凸部が、継手金具１２の心金部１３の外周面に形成された環状リブ１７に乗り上げて該心金部１３の外周面に密着することができないため、その心金部１３の外周面と波形管１１の管壁との間を気密にシールすることができないと同時に、その心金部１１が波形管１１の管端から抜けやすいという不具合があった。
【考案の開示】
【考案が解決しようとする課題】
【０００７】
本考案は、ホース本体となる波形管の管壁が螺旋状の襞で形成されていても、波形管の管壁とその管端から挿入された継手金具の心金部との間を気密にシールすることができると同時に、波形管の管端から挿入された継手金具の心金部が抜けないようにすることを技術的課題としている。
【課題を解決するための手段】
【０００８】
上記課題を解決するために、請求項１の考案は、ホース本体となる波形管が可撓性を有する合成樹脂で成形され、該波形官の管端にその管端から心金部を挿入した継手金具が装着されているフレキシブルホースにおいて、前記波形管の管壁が螺旋状の襞で形成されると共に、前記継手金具の心金部の外周に前記螺旋状の襞と螺合する雄ねじが形成されて、その心金部が前記波形管の管端からねじ込んで挿入されていることを特徴とする。
【０００９】
また、請求項４の考案は、ホース本体となる波形管の管壁が螺旋状の襞で形成されたフレキシブルホースの継手金具であって、前記波形管の管端から挿入する心金部の外周に、前記螺旋状の襞と螺合する雄ねじが形成されると共に、該雄ねじが、ねじ山の断面が円弧状を成す丸ねじに形成されていることを特徴とする。
【考案の効果】
【００１０】
本考案によれば、フレキシブルホースのホース本体となる波形管の管端から、該波形管の管壁を成す螺旋状の襞と螺合する雄ねじが外周に形成された継手金具の心金部をねじ込んで挿入することにより、波形管の管壁とその管端から挿入された継手金具の心金部との間を気密にシールすることができると同時に、波形管の管端から挿入された継手金具の心金部が抜けないようにすることができるという優れた効果がある。
【考案を実施するための最良の形態】
【００１１】
本考案に係るフレキシブルホースの最良の実施形態は、ホース本体となる波形管が可撓性を有するフッ素樹脂やシリコン樹脂等の合成樹脂で成形されて、その外周がステンレスメッシュのブレードで被覆されると共に、該波形管の管壁が螺旋状の襞で形成され、該波形管の管端にその管端から心金部を挿入した継手金具が装着されている。また、該継手金具は、波形管の管端から挿入する心金部の外周に、波形管の管壁を成す螺旋状の襞と螺合する雄ねじが形成されて、その心金部が波形管の管端からねじ込んで挿入されている。これにより、波形管の管壁とその管端から挿入された継手金具の心金部との間が気密にシールされると同時に、波形管の管端から挿入された継手金具の心金部がその管端から抜けることが防止される。
【００１２】
また、継手金具は、心金部の外周に形成する雄ねじが、ねじ山の断面が円弧状を成す丸ねじに形成されている。これにより、継手金具の心金部を波形管の管端からねじ込んで挿入する際に、該心金部の外周に形成した雄ねじによって螺旋状の襞で形成された波形管の管壁を損傷するおそれがない。
【実施例】
【００１３】
図１は本考案に係るフレキシブルホースとその継手金具の一例を示す図であって、同図（ａ）は波形管１の管端から継手金具２の心金部３を挿入する前の状態を示し、同図（ｂ）は継手金具２の心金部３を挿入した状態を示している。
【００１４】
本例のフレキシブルホースは、そのホース本体となる波形管１が可撓性を有するフッ素樹脂あるいはシリコン樹脂等の合成樹脂で成形されて、その外周面に密着するように補強用クロス５が被着され、更に、その外周がステンレス線で筒状に編組みしたステンレスメッシュのブレード６で被覆されている。そして、波形管１は、その管壁が螺旋状の襞４で形成されている。つまり、波形管１の管内側から見て襞４の凹部４ａと凸部４ｂが螺旋状に形成されている。    
【００１５】
一方、波形管１の管端に装着する継手金具２は、波形管１の管端から挿入する心金部３の外周に、波形管１の管壁を成す螺旋状の襞４と螺合する雄ねじ７が形成されて、その心金部３が波形管１の管端からねじ込んで挿入されている。これにより、波形管１の管壁と該波形管１の管端から挿入された継手金具２の心金部３との間が気密にシールされると同時に、波形管１の管端から管内に挿入された継手金具２の心金部３がその管端から抜けることが確実に防止される。
【００１６】
また、継手金具２の心金部３に形成する雄ねじ７は、ねじ山の断面が円弧状を成す丸ねじで形成されているので、その継手金具２の心金部３を波形管１の管端からねじ込んで挿入する際に、心金部３の外周に形成した雄ねじ７によって螺旋状の襞４で形成された波形管１の管壁を損傷するおそれがなく、その管壁と継手金具２の心金部３との間のシール性が良好に維持される。
【００１７】
なお、継手金具２は、ユニオンナット８を回してその両側に形成された雄ねじ７及び９で管と管とを接続するユニオン継手となっているが、本発明に係る継手金具は、これに限るものではなく、波形管１の管端から挿入する心金部３に雄ねじ７が形成されたものであればよい。
【図面の簡単な説明】
【００１８】
【図１】本考案に係るフレキシブルホースとその継手金具の一例を示す図
【図２】従来のフレキシブルホースのその継手金具を例示する図
【符号の説明】
【００１９】
１    波形管
２    継手金具
３    心金部
４    螺旋状の襞
６    ステンメッシュのブレード
７    雄ねじ
【図１】
0003111817.tif 000003
【図２】
0003111817.tif 000004